(57)【特許請求の範囲】
【請求項１】
指針軸によって回転される指針により、該指針の後方側の文字板に前記指針の回転許容範囲に合わせて配設された指標部のうち、計測量に応じた指標部を指示させるメータであって、
第１指針軸部によって回転される第１指針の回転許容範囲内の前記文字板に第１指標部を設け、前記第１指針の回転許容範囲外の前記文字板の部分を回転許容範囲とし、前記第１指針軸部とは異なる第２指針軸部により回転される第２指針と、前記第２指針の回転許容範囲に合わせて配置された第２指標部を有するメータにおいて、
前記第１指針軸部を前記文字板の中心に配置し、前記第２指針軸部を前記第２指標部側に位置をずらして配置し、  
前記第１指針の少なくとも回転中心領域であるところの前記第１指針軸部と前記第２指針の少なくとも回転中心領域であるところの前記第２指針軸部との前方側にてこれら両回転中心領域の前記第１指針軸部および前記第２指針軸部を共通のつば部にて覆い隠す構成とし、
前記つば部は、前記第１指針軸部の前方側に設けられていることを特徴とするメータ。
【発明の詳細な説明】
【技術分野】
【０００１】
本発明は、指針軸によって回転される指針により、指針の背後の文字板に指針の回転許容範囲に合わせて配設された目盛のうち、計測量に応じた目盛箇所を指針させるメータに係り、特に一つのメータのスペースで二つの指針により別々の目盛を指示させるメータに関するものである。
【背景技術】
【０００２】
従来の、一つのメータのスペースで二つの指針により別々の指標部を指示させるメータには、特許文献１のように、指針軸によって配設される指針により、該指針の後方側の文字板に指針の回転許容範囲に合わせて配設された指標部のうち、計測量に応じた指標部を指示させるものである。このメータには、文字板の前方側に配設されて第１指針の回転許容範囲外の文字板部分を回転許容範囲とし、第１指針軸とは異なる第２指針軸により回転される第２指針と、第２指針の回転許容範囲に合わせて文字板の第１指標部以外の部分に配置され、第２指針により計測量に応じた箇所が指示される第２指標部と、第２指針の前方側に配置され、第２指針の少なくとも回転軸を覆うと共に、第１指針、第１指標部及び第２指標部を前方側に露出させるカバーとを備えたものがある。
【特許文献１】特開２００７−２１２４０９
【発明の開示】
【発明が解決しようとする課題】
【０００３】
上述した特許文献１の場合、第２指針軸の周辺を覆い隠すためにカバーの役目を果たす見返し板があることから、意匠上の自由度の制約を受けてしまうという問題点がある。また、オーソドックスなスタイルのメータと比較し、この見返し板を新たに追加することによる部品点数が増加してしまうという問題点がある。
【０００４】
本発明は、上記問題点に鑑みなされたものであり、一つのメータのスペースで二つの指針により別々の指標部を指示させるメータであっても、背景技術に対し、第２指針軸部の周辺を覆い隠す見返し板を削減することにより意匠上の自由度の制約を削減することを目的とする。また見返し板を削減することにより、部品点数を削減することを目的とする。
【課題を解決するための手段】
【０００５】
上記目的を達成するために請求項１に記載の発明は、指針軸によって回転される指針により、該指針の後方側の文字板に前記指針の回転許容範囲に合わせて配設された指標部のうち、計測量に応じた指標部を指示させるメータであって、第１指針軸部によって回転される第１指針の回転許容範囲内の前記文字板に第１指標部を設け、前記第１指針の回転許容範囲外の前記文字板の部分を回転許容範囲とし、前記第１指針軸部とは異なる第２指針軸部により回転される第２指針と、前記第２指針の回転許容範囲に合わせて配置された第２指標部を有するメータにおいて、前記第１指針軸部を前記文字板の中心に配置し、前記第２指針軸部を前記第２指標部側に位置をずらして配置し、前記第１指針の少なくとも回転中心領域であるところの前記第１指針軸部と前記第２指針の少なくとも回転中心領域であるところの前記第２指針軸部との前方側にてこれら両回転中心領域の前記第１指針軸部および前記第２指針軸部を共通のつば部にて覆い隠す構成とし、前
記つば部は、前記第１指針軸部の前方側に設けられていることを特徴とするものである。
【０００６】
請求項１記載の発明は、一つのメータのスペースで二つの指針により別々の指標部を指示させるメータであっても、前記第２指針の回転中心領域の前方側の周辺を覆い隠す見返し板を削減し、その代わりに前記第１指針の少なくとも回転中心領域と前記第２指針の少なくとも回転中心領域とを共通のつば部にて覆い隠すことにより、前記第１指針の回転中心領域と前記第２指針の回転中心領域があたかも同一であるかのように見せかけることができ、背景技術である特許文献１よりも意匠上の制約を削減できる。また見返し板を削減できるため、部品点数が削減できる。
【発明を実施するための最良の形態】
【００１３】
本実施形態のメータは、図１及び図２の通り、文字板１は円形であり、文字板１の外縁３と内縁２を有しているが、外縁３と内縁２は区画線である。外縁３と内縁２の間の外周縁には、Ａインジケータ４と、Ｂインジケータ８とを有している。次に内縁２の内部には、液晶で表示するＣインジケータ６と、第１指針９の回転許容範囲に刻まれている文字板１の内縁の円周方向に向かって時速を表示する第１目盛５とその目盛に対応したＡ数字１４を有しており、また第２指針１１の回転許容範囲に刻まれている文字板１の内縁の円周方向に向かってエンジン回転数を表示する第２目盛７とその目盛に対応したＢ数字１５を有している。なお、ここで言う目盛と数字は、特許請求の範囲で言う指標を意味する。
【００１４】
次に文字板１とそれを貫通し前方側（文字板１の目視側）に突出した指針との関係について説明する。第１指針軸部２２は文字板１の中心に配置されており、第１指針軸部２２と一体である第１指針９は、速度に応じて第１目盛５とその目盛に対応したＡ数字１４を指す。また第１指針軸部２２を前方側から覆う第１指針キャップ１０と一体である第１指針キャップの上端つば部１３を有している。第２指針軸部２６と一体である第２指針１１は、エンジン回転数に応じて第２目盛７とその目盛に対応したＢ数字１５を指し、第２指針１１の回転許容範囲は第１指針９の回転許容範囲外に設定されている。なお、第２指針１１と一体である第２指針軸部２６は、第１指針９と一体である第１指針軸部２２よりも若干第２目盛７側に位置をずらして配置されている。また、第１指針キャップの上端つば部１３は円形で、第１指針キャップ１０と第２指針キャップ１２とを覆い隠せる大きさに設計されている。
【００１５】
次に文字板１と第１指針９、第２指針１１等との関係をさらに詳細に図２を用いて説明する。図２は、一実施形態に係る本発明の断面図であり、文字板１を貫通する第１指針軸部２２と一体である前方側に突出した第１指針９と、第１指針キャップ１０と一体である第１指針キャップの上端つば部１３と、文字板１を貫通する第２指針軸部２６と一体である前方側に突出した第２指針１１と、第２指針キャップ１２と、第１指針９を作動するための第１指針軸部２２と直結しているＡモータ２９と、第２指針１１を作動するための第２指針軸部２６と直結しているＢモータ３０とを有している。なお、これらのＡモータ２９とＢモータ３０は図示していないが、文字板１の後方側にあるメータ回路基板上に設置されている。
【００１６】
また、ＬＥＤは図示しないメータ回路基板上に設置されており、第１指針９と第２指針１１を発光させるために設置されているが、第１指針キャップ１０と第２指針キャップ１２は、ＬＥＤの光が直進しないように、このＬＥＤの光を遮断するために備わっている。
【００１７】
なお、本実施形態は文字板１上にある指標部の目盛と数字が両方ある場合を想定して説明したが、目盛だけ、数字だけの単独の場合でも同様に成立することは勿論である。
【００１８】
次に上記実施形態における本発明の作用を説明する。一つのメータのスペースで二つの指針により別々の目盛を指示させるメータであっても、第２指針軸部２６の前方側周辺を覆い隠す見返し板を削減し、その代わりに第１指針キャップ１０と一体である第１指針キャップの上端つば部１３が第１指針キャップ１０と第２指針キャップ１２とを覆い隠すことにより、第１指針９及び第２指針１１の回転中心領域があたかも同一であるかのように見せかけることができ、背景技術である特許文献１よりも意匠上の制約を削減できる。また見返し板を削減できるため、部品点数が削減できる。
【００２１】
（他の変形例）
上記実施形態及び変形例においては、第１指針９及び第２指針１１の回転中心領域に加えて各指針９，１１の一部分も共通のつば部１３で覆い隠すようにしたが、各指針９，１１の回転中心領域のみを共通のつば部１３で覆い隠すようにしてもよい。
【図面の簡単な説明】
【００２２】
【図１】一実施形態に係る本発明の正面図である。
【図２】一実施形態に係る本発明の断面図である。
【符号の説明】
【００２３】
１・・・文字板、２・・・内縁、３・・・外縁、４・・・Ａインジケータ、５・・・第１目盛、６・・・Ｃインジケータ、７・・・第２目盛、８・・・Ｂインジケータ、９・・・第１指針、１０・・・第１指針キャップ、１１・・・第２指針、１２・・・第２指針キャップ、１３・・・第１指針キャップの上端つば部、１４・・・Ａ数字、１５・・・Ｂ数字、２２・・・第１指針軸部、２６・・・第２指針軸部、２９  ・・・Ａモータ、３０・・・Ｂモータ
【図１】
0005223467.tif 000002
【図２】
0005223467.tif 000003